(57)【要約】通信デバイスに接続されるデータ処理デバイスにおいてオブジェクト特定情報を呼び出す方法において、前記オブジェクトが識別データを備え、前記識別データが前記通信デバイスによって読み取られ、オブジェクト特定アプリケーションが、前記識別データに基づいて前記データ処理デバイスにおいて開始させられる方法。【特許請求の範囲】
【請求項１】
通信デバイスに接続されるデータ処理デバイスにおいてオブジェクト特定情報を呼び出す方法において、オブジェクトが識別データを備え、前記識別データが前記通信デバイスによって読み取られ、オブジェクト特定アプリケーションが、前記識別データに基づいて前記データ処理デバイスにおいて開始させられる方法。
【請求項２】
前記オブジェクトが、前記識別データを含むデータキャリアを備える請求項１に記載の方法。
【請求項３】
物理体が前記オブジェクトとして使用される請求項１に記載の方法。
【請求項４】
前記識別データが、リンクサーバシステムを介してデータベースシステムに送信され、
前記データベースシステムが、前記識別データに基づいてアプリケーションデータを前記オブジェクトに割り当て、
前記リンクサーバシステム及び前記データベースシステムが、前記オブジェクト特定情報への接続を作成し、
前記オブジェクト特定情報及び前記アプリケーションデータが、前記リンクサーバシステムを介して前記データ処理デバイスに送信される
請求項１に記載の方法。
【請求項５】
前記データベースシステムの前記アプリケーションデータが修正され得る請求項１に記載の方法。
【請求項６】
呼び出される前記オブジェクト特定アプリケーションが、閉じたソフトウエアシステムにおけるページ、インタネットサイト、又はウェブページである請求項１に記載の方法。
【請求項７】
呼び出される前記オブジェクト特定情報が、製品状況についての情報、製品情報、配送状況についての情報、品質データ、サービス情報、価格情報、製造業者情報、他のウェブページへのリンク、他のインタネットサイトへのリンク、宣伝手段に関する情報、特別の提供に関する情報、顧客データ、前記オブジェクトの真正性をテストするための情報、又は注文情報によって形成される請求項１に記載の方法。
【請求項８】
通信デバイスに接続されるデータ処理デバイスにおいてオブジェクト特定情報を呼び出すための識別データを備えるデータキャリアであって、
前記オブジェクトが、前記識別データを備え、
前記識別データが、前記通信デバイスによって読み取られ、
オブジェクト特定アプリケーションが、前記識別データに基づいて前記データ処理デバイスにおいて開始させられる
データキャリア。
【請求項９】
通信デバイスに接続されるデータ処理デバイスにおいてオブジェクト特定情報を呼び出すための通信デバイスであって、
前記オブジェクトが、識別データを備え、
前記識別データが、前記通信デバイスによって読み取られ、
オブジェクト特定アプリケーションが、前記識別データに基づいて前記データ処理デバイスにおいて開始させられる
通信デバイス。
【発明の詳細な説明】
【技術分野】
【０００１】
本発明は、通信デバイスに接続されるデータ処理デバイスにおいてオブジェクト特定情報（ｏｂｊｅｃｔ−ｓｐｅｃｉｆｉｃ  ｉｎｆｏｒｍａｔｉｏｎ）を呼び出す方法に関する。
【背景技術】
【０００２】
コンピュータに対する主な用途は、ネットワークを介した情報交換である。現在の最大のコンピュータネットワークはインタネットである。インタネットは、複数の接続されたコンピュータ及びコンピュータネットワークを備える電子データネットワークである。前記接続されたコンピュータは、例えばＷｏｒｌｄ  Ｗｉｄｅ  Ｗｅｂ（“ＷＷＷ”）のようなサービスによって互いに情報を交換し得る。
【０００３】
ＷＷＷのアーキテクチャは、従来のクライアント・サーバモデルに対応する。この概念“クライアント”及び“サーバ”は、コンピュータの実際の機能を規定している。クライアントコンピュータはデータを要求し、サーバコンピュータはデータを供給する。従って、ＷＷＷサービスにより、サーバコンピュータ、例えばウェブサーバがグラフィックウェブページを、接続されているクライアントコンピュータへの情報として送信し得る。ウェブページは、ハイパーテキストマークアップ言語（Ｈｙｐｅｒ  Ｔｅｘｔ  Ｍａｒｋｕｐ  Ｌａｎｇｕａｇｅ（ＨＴＭＬ））のようなハイパーテキスト言語（ｈｙｐｅｒ  ｔｅｘｔ  ｌａｎｇｕａｇｅ）に書き込まれると共に、テキスト、グラフィック表示、及びマルチメディアオブジェクトを含んでいてもよいデータブロック又はドキュメントの何れかであってもよい。
【０００４】
各々のコンピュータ及びＷＷＷの各々のウェブページは、統一資源ロケータ（“ＵＲＬ（ｕｎｉｆｏｒｍ  ｒｅｓｏｕｒｃｅ  ｌｏｃａｔｏｒ）”）によって明確に特定され得る。ある特定のウェブページを指定するために、前記クライアントコンピュータは、当該ページのＵＲＬをリクエストの形態、例えばハイパーテキストトランスファプロトコルリクエスト（“ＨＴＴＰ（Ｈｙｐｅｒ  Ｔｅｘｔ  Ｔｒａｎｓｆｅｒ  Ｐｒｏｔｏｃｏｌ）  ｒｅｑｕｅｓｔ”）の形態で特定する。当該リクエストは、当該ウェブページをサポートするウェブサーバに渡される。前記ウェブサーバが前記リクエストを受信すると、当該ウェブサーバは前記ウェブページを前記クライアントコンピュータに送信する。前記クライアントコンピュータはそれから当該ウェブページをブラウザによって表示する。ブラウザは、ウェブページの表示及びウェブページに対するリクエストを実行する特別のアプリケーションプログラムである。
【０００５】
これまで多くのウェブサーバは、ワールドワイドウェブ（“ＷＷＷ（Ｗｏｒｌｄ  Ｗｉｄｅ  Ｗｅｂ）”）に展開されてきた。当該ウェブによって、取引業者及び製造業者は製品及びサービスを宣伝すると共に、それらを販売し得る。製品の範囲は、インタネットを介して顧客によって電気的にダウンロードされ得る音楽のような品目から、従来の輸送経路を介して顧客に配送される商品（家庭用品、アクセサリを備えるコンピュータ、及び電子デバイス）まで多岐に渡る。
【０００６】
製品及びサービスの販売のほか、例えばある特定の製品又はサービスの記載に関する詳細な情報のような更なるデータもウェブページの形態で利用可能となる。
【０００７】
頻繁に挙げられる、インタネットのユーザにとっての主な問題は、かつて呼び出されたバックウェブページ（ｂａｃｋ  ｗｅｂ  ｐａｇｅ）を検索することが困難な点にある。ある特定の製品又はサービスに関する特別の情報を検索しているインタネットユーザにとって他の問題が発生する。インタネットユーザはほとんどの場合、当該ユーザによって所望されている情報がどのウェブページ上に存在しているのかを認識していないため、前記ユーザは所望の情報を得るために多くの異なるウェブページを頻繁に呼び出さなければならない。このことは非常に時間の浪費となるばかりでなく経済的でない。
【発明の開示】
【発明が解決しようとする課題】
【０００８】
従って、本発明の目的は、従来技術の不利点を解消すると共に、特定のオブジェクトに関する情報が迅速かつ効果的に検索され得る方法を可能にすることにある。
【課題を解決するための手段】
【０００９】
当該目的は、通信デバイスに接続されるデータ処理デバイスにおいてオブジェクト特定情報を呼び出す方法において、オブジェクトが識別データ（ｉｄｅｎｔｉｆｉｃａｔｉｏｎ  ｄａｔａ）を備え、前記識別データが前記通信デバイスによって読み取られ、オブジェクト特定アプリケーションが、前記識別データに基づいて前記データ処理デバイスにおいて開始させられる方法によって達成される。当該方法の有利な実施例は、従属請求項に規定されている。
【００１０】
当該方法は、いつでもどこでもオブジェクト特定情報が呼び出され得るという利点を有している。更にオブジェクトに対して最新の情報が常に得られる。例えばインタネットにおける、当該情報に対する長い検索は必要とされない。
【００１１】
好ましい実施例において前記オブジェクトは、前記識別データを含むデータキャリアを備えている。
【００１２】
前記データキャリアは、好ましくは、高周波帯域で動作する中継器（ｔｒａｎｓｐｏｎｄｅｒ）である。代わりに前記データキャリアは、データのワイヤレス又はコンタクトレス送信を可能にする他の帯域、例えば超音波域（ｕｌｔｒａｓｏｕｎｄ  ｒａｎｇｅ）又は赤外線域（ｉｎｆｒａｒｅｄ  ｒａｎｇｅ）において動作してもよい。前記データキャリアがシリコンチップ又は合成樹脂チップであることは非常に好ましい。前記中継器は、外側から見えるように前記オブジェクトに固定されてもよく、又は外側から見えないように前記オブジェクトの内側に固定されてもよい。前記データキャリアは、前記オブジェクトの明確な識別を可能にする識別データを含んでいる。当該データは、例えば文字及び／又は数字のようなシンボルの組み合わせであってもよい。好ましくは、各々のオブジェクトは特定のセットの識別データを有している。前記データキャリアが、暗号化されたデータパッケージを有することも可能である。代わりに、前記データキャリアは、マイクロプロセッサ又は暗号制御器（ｃｒｙｐｔｏｃｏｎｔｒｏｌｌｅｒ）を有してもよい。当該実施例において、前記データキャリアは、複雑な暗号真正性チェックアルゴリズム（ｃｒｙｐｔｇｒａｐｈｉｃ  ａｕｔｈｅｎｔｉｃｉｔｙ  ｃｈｅｃｋｉｎｇ  ａｌｇｏｒｉｔｈｍ）又は暗号化されたデータパッケージの解読（ｄｅｃｉｐｈｅｒ）を実行し得る。
【００１３】
代わりに、前記識別データは、バーコードシステムで規定されてもよい。
【００１４】
好ましい実施例において、物理体（ｐｈｉｓｉｃａｌ  ｂｏｄｙ）が前記オブジェクトとして使用されてもよい。
【００１５】
オブジェクトは、特に物理体において、自身のライフサイクルにおいて様々な局面を介して渡される。まず、例えばカメラ、車部品（ｃａｒ  ｐａｒｔ）、腕時計、玩具、靴、及び衣料品等の前記オブジェクトは、様々な物質から製造されると共に処理される。一旦販売準備が整うと、前記オブジェクトは顧客によって購入される。当該顧客は、例えば私用のために前記オブジェクトを購入するエンドユーザであってもよい。前記顧客は代わりに、前記購入されたオブジェクトを更に販売する仲介業者、前記購入されたオブジェクトを更に処理する仲介業者、又は前記購入されたオブジェクトを更に改造する仲介業者であってもよい。
【００１６】
本発明による方法が最適に使用され得る場合、前記オブジェクトは、製造プロセスにおいて可能な限り迅速に、好ましくは開始時点において、前記識別データ、好ましくは前記識別データを含むデータキャリアを備える。
【００１７】
前記オブジェクトの所有者又はユーザがある特定のオブジェクト特定情報を呼び出したいとき、前記所有者又はユーザは、コンタクトレス態様で前記識別データを読み取り得る通信デバイスの近くに前記オブジェクトをもたらすであろう。前記通信デバイスは更に、データ処理デバイスに接続される。前記オブジェクト特定情報を含むオブジェクト特定アプリケーションは、前記識別データによって前記データ処理デバイス上で開始させられる。
【００１８】
前記識別データは有利なことに、リンクサーバシステムを介してデータベースシステムに送信されてもよい。前記データベースシステムは、前記識別データに基づいてアプリケーションデータを前記オブジェクトに割り当てる。前記リンクサーバシステム及び前記データベースシステムは、例えばインタネットにおいて前記オブジェクト特定情報への接続を示すと共に、前記オブジェクト特定情報及び前記アプリケーションデータを前記データ処理デバイスに送信する。ある特定のオブジェクト特定アプリケーション、例えば閉じたソフトウエアシステムにおけるある特定のページ、ある特定のインタネットサイト、又はある特定のウェブページは、前記アプリケーションデータによって前記データ処理デバイス上で開始させられる。
【００１９】
前記データベースシステムの前記アプリケーションデータが修正され得ることは好ましい。前記アプリケーションデータはデータベースシステムにおいて管理されるため、前記アプリケーションデータ、従って前記オブジェクト特定情報は継続的に更新され得る。更に、前記アプリケーションデータは、前記データベースシステムによって、各々のオブジェクトの所有者又はユーザの特別の要望及び関心事に適応され得る。これにより、オブジェクトの製造業者及び／又は供給業者（ｖｅｎｄｏｒ）が効果的な態様、例えばある特定の対象グループに向けられる態様で、当該オブジェクトを販売することが可能となる。個人データ（ｐｅｒｓｏｎａｌ  ｄａｔａ）、例えば所有者又はユーザのアドレスも、前記データベースによって、閉じたソフトウエアシステムのページ、インタネットサイト、又は関連したウェブページ上に入力されてもよい。前記オブジェクトの前記ユーザ又は所有者はそれから各々及び全ての注文情報を備える当該データを入力する必要がないため、このことはインタネットを介した商品の注文（ｏｒｄｅｒｉｎｇ  ｏｆ  ｇｏｏｄｓ）において特に有利となり得る。
【００２０】
前記通信デバイスは、例えば受信器であってもよいし、又は高周波帯域において動作させられてもよい。前記通信デバイスは、例えばコンピュータマウス若しくはマウスパッドのような例えばコンピュータ周辺機器、又は例えば遠隔制御器若しくはセットトップボックスのようなテレビジョンセット周辺機器においてもたらされてもよい。前記データ処理デバイスは、スクリーンと、閉じたソフトウエアシステムへのアクセス機能又はインタネットアクセス機能とを備える何れかのデータ処理デバイスであってもよい。前記データ処理デバイスは、例えばデスクトップコンピュータ、ラップトップコンピュータ、モバイル電話、又はパーソナルディジタルアシスタント（ＰＤＡ（ｐｅｒｓｏｎａｌ  ｄｉｇｉｔａｌ  ａｓｓｉｓｔａｎｔ））であってもよい。前記通信デバイス及び前記データ処理デバイスは、公衆の場所、例えばキオスク（ｋｉｏｓｋ）、会社ビルディング、若しくは店、例えば会計係のデスクにおいて、又はオブジェクトの所有者若しくはユーザの私用の領域においてもたらされてもよい。識別データがバーコードシステムで形成される場合、前記通信デバイスはバーコード読み取り器（ｂａｒ  ｃｏｄｅ  ｒｅａｄｅｒ）となるであろう。
【００２１】
本発明の有利な実施例において、前記オブジェクト特定アプリケーションは、例えば、ある特定のインタネットサイトのある特定のウェブページ、又は閉じたソフトウエアシステムにおけるある特定のページの呼出であってもよい。
【００２２】
製品寿命（ｐｒｏｄｕｃｔ  ｌｉｆｅ）における局面、例えば前記オブジェクトの製造、販売、又は使用に依存して、及び前記オブジェクトの特質に依存して、前記オブジェクトに関する、広範な異なるデータ（ｗｉｄｅｌｙ  ｄｉｆｆｅｒｉｎｇ  ｄａｔａ）はユーザ又は所有者に有利となるであろう。従って、広範な異なるオブジェクト特定アプリケーションが開始させられてもよい。
【００２３】
本発明の好ましい実施例において、呼び出され得るオブジェクト特定情報は、例えば、製品状況についての情報、製品情報、配送状況についての情報、品質データ、サービス情報、価格情報、製造業者情報、他のウェブページへのリンク、他のインタネットサイトへのリンク、宣伝及び広告についての情報、特別の提供（ｓｐｅｃｉａｌ  ｏｆｆｅｒ）についての情報、顧客データ、前記オブジェクトの正しさ（ｇｅｎｕｉｎｅｎｅｓｓ）をテストすることに関する情報、又は注文情報（ｏｒｄｅｒｉｎｇ  ｉｎｆｏｒｍａｔｉｏｎ）となる。
【００２４】
当該方法により、ある特定のオブジェクトの製造業者及び供給業者に、当該オブジェクトを販売するという改善された実現性がもたらされる。オブジェクトを購入すること、及び当該オブジェクトに対するアクセサリを購入することも、より簡単となる。更に、売買及び交換するプロセス（“ビジネス・トゥ・ビジネス（Ｂｕｓｉｎｅｓｓ−ｔｏ−Ｂｕｓｉｎｅｓｓ，Ｂ２Ｂ）”）と、調達プロセス（“電子調達（ｅ−ｐｒｏｃｕｒｅｍｅｎｔ）”）とが簡略化されると共に高速化され得る。
【００２５】
本発明の実施例は、本発明が実際に実現され得る態様の例を示しながら、以下更に詳細に説明されるであろう。
【発明を実施するための最良の形態】
【００２６】
ブランド製品のユーザ、製造業者、又は購入者は、オブジェクトの真正性をテストするための方法を使用してもよい。このため、高級オブジェクト（ｈｉｇｈ−ｇｒａｄｅ  ｏｂｊｅｃｔ）、例えば車部品、航空機用部品（ａｉｒｐｌａｎｅ  ｐａｒｔ）、腕時計、サングラス、革製品、衣料品、又は宝飾品に、製造プロセスにおいて可能な限り早い段階で、データキャリアがもたらされる。前記オブジェクトが通信デバイスの近くにもたらされると、製品状況のようなオブジェクト特定情報、例えば製造場所のような製造情報、品質データ、又は前記オブジェクトの真正性が確認される。偽造オブジェクト（ｃｏｕｎｔｅｒｆｅｉｔ  ｏｂｊｅｃｔ）は当該方法によって迅速に識別される。
【００２７】
新聞及び雑誌出版社と、広告代理店と、広告及び販売会社とは、当該方法によって自身の電子商取引業務（ｅ−ｃｏｍｍｅｒｃｅ  ａｃｔｉｖｉｔｙ）及びインタネット環境（Ｉｎｔｅｒｎａｔ  ｐｒｅｓｅｎｃｅ）を向上し得る。このため、新聞、雑誌、案内書、又は他の印刷物に、データキャリアがもたらされる。従って新聞出版社は、効果的な態様、すなわち読者に改善されたサービスを提供する態様で、インタネット上の自身のウェブページに自身の印刷物をリンクさせてもよい。印刷媒体において宣伝されているオブジェクトに関心を持つ者が、幅広い製品情報、価格情報、及び注文情報を備えるインタネットサイトに直接達し得るという更なる適用可能性がある。更に前記広告手段は、対象者又は各印刷媒体の特殊な読者に直接適合されてもよい。
【００２８】
ゲーム及び玩具の製造業者及び／又は供給業者には、前記ゲーム又は玩具に関する提供を向上させる方法によって実現性がもたらされる。ゲーム又は玩具はこのためのデータキャリアを備える。従って例えばアドベンチャゲーム（ａｄｖｅｎｔｕｒｅ  ｇａｍｅ）の所有者又はユーザは、特に早く簡単な態様で双方向ゲームプラットホームのインタネットサイトを呼び出すことが可能となっていてもよい。すなわち前記データキャリアを備える前記ゲームは所有者又はユーザによって、対応する通信デバイスの近くに移動させられる。更に、前記玩具、例えば人形又はかわいい動物のユーザ又は所有者だけでなく当該ゲームの前記ユーザ又は所有者も、特別のゲーム又は玩具のためのアクセサリについての情報を迅速に得ることができると共に、可能ならばインタネットを介して当該情報を直接注文してもよい。当該方法により、対象グループに特に向けられる、新たなゲーム又は玩具と、そのアクセサリとを販売する可能性がゲーム及び玩具の供給業者又は製造業者にもたらされる。このため、広告又はリンクの形態で好適なポインタが呼出ウェブページ（ｃａｌｌｅｄ−ｕｐ  ｗｅｂ  ｐａｇｅ）又はインタネットサイトにもたらされる。当該方法により、ケーブルテレビジョン会社又はセットトップボックスの製造業者に、特に双方向テレビジョン番組に関して、自身の製品の範囲を拡大する簡単な可能性がもたらされる。ケーブルテレビジョン会社又はセットトップボックス製造業者は、簡単かつ迅速な態様で顧客が、当該ケーブルテレビジョン会社又はセットトップボックス製造業者の双方向テレビジョン番組に参加することを可能にする。このため、ケーブルテレビジョン会社又はセットトップボックス製造業者と接続されるオブジェクト、例えば前記ケーブルテレビジョン会社又は前記セットトップボックス製造業者のロゴを備えるプラスチックカードにデータキャリアがもたらされる。当該オブジェクトは、顧客によって入手され得ると共に、データ処理デバイスに接続される通信デバイスの近くにもたらされ得る。前記ケーブルテレビジョン会社又は前記セットトップボックス製造業者の、対応する双方向インタネットページは、それから前記データ処理デバイス上で呼び出される。前記ケーブルテレビジョン会社又は前記セットトップボックス製造業者は、提供及び広報手段を、特に顧客の表示習慣（ｖｉｅｗｉｎｇ  ｈａｂｉｔ）に合わせる可能性を有している。更に、前記ケーブルテレビジョン会社又は前記セットトップボックス製造業者の、特に電子商取引の領域における製品及びサービスは、対象とされる態様で販売され得る。このため、他のインタネットページに対する広告又はリンクが前記呼出インタネットページにもたらされる。更に適用されることに、前記ケーブルテレビジョン会社又は前記セットトップボックス製造業者が顧客に、“ビデオオンデマンド（ｖｉｄｅｏ  ｏｎ  ｄｅｍａｎｄ）”又は“ペイパービュー（ｐａｙ  ｐｅｒ  ｖｉｅｗ）”サービスを提供する。
【００２９】
写真及び画像処理の分野において、迅速かつ簡単な態様、例えばインタネットを介してディジタル画像を交換又は注文するために本発明による方法が使用されてもよい。例えばディジタル写真のプリントが当該態様で入手されてもよい。このことを実現するために、好適なオブジェクト、例えばディジタルカメラ、ディジタルカメラのメモリモジュール、又は顧客カードにデータキャリアがもたらされる。当該オブジェクトのユーザ又は所有者が、データ処理デバイスに接続されている通信デバイスの近くに前記オブジェクトを移すとき、前記ユーザ又は所有者は、例えばディジタル画像を入手することを可能にするウェブページ又はインタネットサイトにアクセスしてもよい。当該インタネットサイト又はウェブページ上において、前記前記オブジェクトのユーザ又は所有者は自身のディジタル画像を交換又は販売のために提供することができ、又は前記ユーザ又は所有者はディジタル画像のプリントを注文することができる。更に、インタネットを介して写真業界の製品が注文されてもよく、又は前記製品についての情報が呼び出されてもよい。
【００３０】
例えばＣＤ（コンパクトディスク（Ｃｏｍｐａｃｔ  Ｄｉｓｃ））、ＤＶＤ（Ｄｉｇｉｔａｌ  Ｖｅｒｓａｔｉｌｅ  Ｄｉｓｃ）、又は磁気テープのように、データがディジタル式に記憶される情報キャリアの製造業者は、海賊版の複製の形態で、当該情報キャリアの無認可版が増大することを防止するために当該方法を使用してもよい。このため、前記情報キャリア自体又はそのパッケージングに前記データキャリアがもたらされる。代わりに、前記データキャリアがもたらされる別個のオブジェクト、例えばプラスチックカード又はスティッカ（ｓｔｉｃｋｅｒ）が、前記情報キャリアに付加されてもよい。例えばCD又はDVDの場合、前記データキャリアは、通常従来の意味での情報はもたらされない、中央の穴（ｃｅｎｔｒａｌ  ｈｏｌｅ）を囲む前記CD又はDVDの内部に搭載されてもよい。
【００３１】
可能な実施例において、前記データキャリアは、暗号化されたデータパッケージ、例えば暗号化されたアルゴリズムを有している。これにより、前記オブジェクトの識別のみならず真正性チェックも可能となる。
【００３２】
例えばCDの購入者又は所有者が、CDからディジタルデータを呼び出すことを所望する場合、当該購入者又は所有者は、データ処理デバイスに接続されている通信デバイスの近くに適切なデータキャリアをもたらすであろう。前記通信デバイスは、前記暗号化されたデータパッケージを読み取り、それを解読し、この解読されたデータを前記データ処理ユニットに送信する。当該データ処理ユニットは前記真正性チェックを実行する。前記真正性チェックの結果が正となる場合、前記購入者又は所有者は前記CDから前記ディジタルデータを読み出すことを可能にするCD特定アプリケーション（ＣＤ−ｓｐｅｃｉｆｉｃ  ａｐｐｌｉｃａｔｉｏｎ）が開始させられる。
【００３３】
他の可能な実施例において、前記データキャリアは、前記暗号化されたデータパッケージのほかに、当該データパッケージを解読し得るマイクロプロセッサを有している。CDの所有者又は購入者が当該データキャリアを前記通信デバイスの近くにもたらすと、前記通信デバイスは前記解読されたデータパッケージを読み取ると共に、前記真正性チェックを実行する前記データ処理デバイスに当該データパッケージを送信するであろう。前記テスト結果が正となる場合、前記購入者又は所有者は前記CDから前記ディジタルデータを読み出すことを可能にするCD特定アプリケーションが開始させられるであろう。
【００３４】
代わりに、前記情報キャリアの実際の真正性チェックは前記データ処理デバイスにおいて局所的に実行されず、前記解読されたデータパッケージがリンクサーバシステムを介してデータベースシステムに送信されると共にそこで前記真正性チェックが行われることは両方の実施例において可能である。
【００３５】
CDの各々及び全ての使用において、全体の識別及び真正性チェックプロセスが施される必要はない場合、前記CD特定情報及びアプリケーションデータは前記データ処理デバイス、例えばCDの所有者又は購入者のデータ処理デバイス上に記憶されてもよい。代わりに、前記データはサーバに記憶されてもよいので、顧客は、複数のデータ処理デバイスからCDの使用のために必要な情報及びアプリケーションデータにアクセスしているであろう。
【００３６】
更に前記情報キャリアは、更なる保護メカニズムを有していてもよい。従って例えば、前記情報キャリアにもたらされる保護データと、前記データ処理デバイスにもたらされる前記情報キャリアの保護データとの間で比較がなされてもよい。
【００３７】
前記情報キャリアにおける従来の複製保護、例えば前記情報キャリアにおける不良セクタと共に、違法行為の増大に対する最適化された保護が実現され得る。情報キャリアの複製及び／又は読み取りは、本発明による方法によって完全に防止され得ないが、前記データキャリアがもたらされている限り前記情報キャリアはデータ処理デバイスにおいて使用され得る。
【国際公開パンフレット】
2004527047.tif 000002
2004527047.tif 000003
2004527047.tif 000004
2004527047.tif 000005
2004527047.tif 000006
2004527047.tif 000007
2004527047.tif 000008
2004527047.tif 000009
2004527047.tif 000010
2004527047.tif 000011
2004527047.tif 000012
【国際公開パンフレット（コレクトバージョン）】
2004527047.tif 000013
【国際調査報告】
2004527047.tif 000014
2004527047.tif 000015
2004527047.tif 000016